(57)【要約】【課題】長寿命の有機電界発光素子、照明装置及び照明システムを提供する。【解決手段】実施形態の有機電界発光素子は、基板と、第１〜第２電極と、有機発光層と、第１〜第２補助配線部とを含む。第２電極は、第１方向に第１電極と離間する。基板と第２電極との間に第１電極が設けられる。有機発光層は、第１電極と第２電極との間に設けられる。第１補助配線部は、基板と有機発光層との間に設けられ、第２方向に延びる。第２補助配線部は、第３方向に第１補助配線部と離間して並ぶ。第２電極は、第２方向に延びる導電部を含む。導電部は、第１端部と、第２端部と、中間部とを含む。第１端部は、第１補助配線部の少なくとも一部と重なる。第２端部は、第３方向に第１端部と離間し、第２補助配線部の少なくとも一部と重なる。中間部は、第１端部と第２端部との間に設けられ、第１補助配線部及び第２補助配線部のそれぞれと重ならない。【選択図】図１
2016062858.tif 000002
【特許請求の範囲】
【請求項１】
基板と、
光透過性の第１電極と、
第１方向において前記第１電極と離間した第２電極であって、前記基板と前記第２電極との間に前記第１電極が設けられた第２電極と、
前記第１電極と前記第２電極との間に設けられた有機発光層と、
前記基板と前記有機発光層との間に設けられた第１補助配線部であって、前記第１電極と電気的に接続され、前記第１方向と交差する第２方向に延びる第１補助配線部と、
前記基板と前記有機発光層との間に設けられた第２補助配線部であって、前記第１電極と電気的に接続され、前記第２方向に延び、前記第１方向及び前記第２方向と交差する第３方向において前記第１補助配線部と離間して並ぶ第２補助配線部と、
を備え、
前記第２電極は、前記第２方向に延びる導電部を含み、
前記導電部は、
前記第１補助配線部の少なくとも一部と重なる第１端部と、
前記第３方向において前記第１端部と離間し、前記第２補助配線部の少なくとも一部と重なる第２端部と、
前記第１端部と前記第２端部との間に設けられ、前記第１補助配線部及び前記第２補助配線部のそれぞれと重ならない中間部と、
を含む有機電界発光素子。
【請求項２】
前記第２電極の光反射率は、前記第１電極の光反射率よりも高く、
前記第１補助配線部及び前記第２補助配線部のそれぞれの光透過率は、前記第１電極の光透過率よりも低い請求項１記載の有機電界発光素子。
【請求項３】
前記第１補助配線部及び前記第２補助配線部のそれぞれは、前記第１電極と、前記有機発光層との間に設けられている請求項１または２に記載の有機電界発光素子。
【請求項４】
前記第１電極は、前記第１補助配線部及び前記第２補助配線部のそれぞれと、前記有機発光層との間に設けられている請求項１または２に記載の有機電界発光素子。
【請求項５】
基板と、
光透過性の第１電極と、
第１方向において前記第１電極と離間した第２電極であって、前記基板と前記第２電極との間に前記第１電極が設けられた第２電極と、
前記第１電極と前記第２電極との間に設けられた有機発光層と、
前記第１電極と前記有機発光層との間に設けられ、前記第１方向と交差する第２方向に延びる第１有機絶縁部と、
前記第１電極と前記有機発光層との間に設けられ、前記第２方向に延び、前記第１方向及び前記第２方向と交差する第３方向において前記第１有機絶縁部と離間して並ぶ第２有機絶縁部と、
を備え、
前記第２電極は、前記第２方向に延びる導電部を含み、
前記導電部は、
前記第１有機絶縁部の少なくとも一部と重なる第１端部と、
前記第３方向において前記第１端部と離間し、前記第２有機絶縁部の少なくとも一部と重なる第２端部と、
前記第１端部と前記第２端部との間に設けられ、前記第１有機絶縁部及び前記第２有機絶縁部のそれぞれと重ならない中間部と、
を含み、
前記第２有機絶縁部は、
第１部分と、
前記第３方向において前記第１部分と離間した第２部分と、
前記第１部分と前記第２部分との間に設けられた分離部と、
を含む有機電界発光素子。
【請求項６】
前記第２電極の光反射率は、前記第１電極の光反射率よりも高い請求項５記載の有機電界発光素子。
【請求項７】
基板と、
光透過性の第１電極と、
第１方向において前記第１電極と離間した第２電極であって、前記基板と前記第２電極との間に前記第１電極が設けられた第２電極と、
前記第１電極と前記第２電極との間に設けられた有機発光層と、
前記基板と前記有機発光層との間に設けられた第１補助配線部であって、前記第１電極と電気的に接続され、前記第１方向と交差する第２方向に延びる第１補助配線部と、
前記基板と前記有機発光層との間に設けられた第２補助配線部であって、前記第１電極と電気的に接続され、前記第２方向に延び、前記第１方向及び前記第２方向と交差する第３方向において前記第１補助配線部と離間して並ぶ第２補助配線部と、
前記第１補助配線部と前記有機発光層との間に設けられ、前記第２方向に延びる第１有機絶縁部と、
前記第２補助配線部と前記有機発光層との間に設けられ、前記第２方向に延び、前記第３方向において前記第１有機絶縁部と離間して並ぶ第２有機絶縁部と、
を備え、
前記第２電極は、前記第２方向に延びる導電部を含み、
前記導電部は、
前記第１有機絶縁部の少なくとも一部と重なる第１端部と、
前記第３方向において前記第１端部と離間し、前記第２有機絶縁部の少なくとも一部と重なる第２端部と、
前記第１端部と前記第２端部との間に設けられ、前記第１補助配線部及び前記第２補助配線部のそれぞれの少なくとも一部と重なり、前記第１有機絶縁部及び前記第２有機絶縁部のそれぞれと重ならない中間部と、
を含む有機電界発光素子。
【請求項８】
前記第２電極の光反射率は、前記第１電極の光反射率よりも高く、
前記第１補助配線部及び前記第２補助配線部のそれぞれの光透過率は、前記第１電極の光透過率よりも低い請求項７記載の有機電界発光素子。
【請求項９】
前記第１補助配線部及び前記第２補助配線部のそれぞれは、前記第１電極と、前記有機発光層との間に設けられている請求項７または８に記載の有機電界発光素子。
【請求項１０】
前記第１電極は、前記第１補助配線部及び前記第２補助配線部のそれぞれと、前記有機発光層との間に設けられている請求項７または８に記載の有機電界発光素子。
【請求項１１】
前記第１補助配線部は、前記有機発光層の前記第３方向における中心部分に位置し、
前記第２補助配線部は、前記有機発光層の前記第３方向における端部側に位置し、
前記中間部と前記第１補助配線部とが重ならない第１領域の面積は、前記中間部と前記第２補助配線部とが重ならない第２領域の面積よりも大きい請求項７〜１０のいずれか１つに記載の有機電界発光素子。
【請求項１２】
前記第１端部は、前記第１有機絶縁部の端に延在し、
前記第２端部は、前記第２有機絶縁部の端に延在する請求項７〜１１のいずれか１つに記載の有機電界発光素子。
【請求項１３】
前記第２電極は、複数の前記導電部を含み、
前記複数の導電部のそれぞれは、前記第３方向に離間して並び、
前記第１補助配線部及び前記第２補助配線部のそれぞれは、前記複数の導電部のそれぞれに対して設けられている請求項７〜１２のいずれか１つに記載の有機電界発光素子。
【請求項１４】
前記第１補助配線部及び前記第２補助配線部のそれぞれと交差する複数の交差補助配線部をさらに備え、
前記第２電極は、前記導電部と交差する複数の交差導電部をさらに含む請求項１３記載の有機電界発光素子。
【請求項１５】
請求項１〜１４のいずれか１つに記載の有機電界発光素子と、
前記第１電極と前記第２電極とに電気的に接続され、前記第１電極及び前記第２電極を介して前記有機発光層に電流を供給する電源部と、
を備えた照明装置。
【請求項１６】
請求項１〜１４のいずれか１つに記載の複数の有機電界発光素子と、
前記複数の有機電界発光素子のそれぞれと電気的に接続され、前記複数の有機電界発光素子のそれぞれの点灯・消灯を制御する制御部と、
を備えた照明システム。
【発明の詳細な説明】
【技術分野】
【０００１】
本発明の実施形態は、有機電界発光素子、照明装置及び照明システムに関する。
【背景技術】
【０００２】
有機電界発光素子において、第１電極（陽極）と第２電極（陰極）との間に有機発光層が設けられる。これらの電極間に電圧を印加することにより、有機発光層から光が放出される。有機電界発光素子を光源として用いた照明装置がある。複数の有機電界発光素子と、複数の有機電界発光素子を制御する制御部と、を含む照明システムがある。有機電界発光素子において、長寿命化が望まれている。
【先行技術文献】
【特許文献】
【０００３】
【特許文献１】特開２０１１−２４９５４１号公報
【発明の概要】
【発明が解決しようとする課題】
【０００４】
本発明の実施形態は、長寿命な有機電界発光素子、照明装置及び照明システムを提供する。
【課題を解決するための手段】
【０００５】
本発明の実施形態によれば、有機電界発光素子は、基板と、第１電極と、第２電極と、有機発光層と、第１補助配線部と、第２補助配線部と、を含む。前記第１電極は、光透過性である。前記第２電極は、第１方向において前記第１電極と離間する。前記基板と前記第２電極との間に前記第１電極が設けられる。前記有機発光層は、前記第１電極と前記第２電極との間に設けられる。前記第１補助配線部は、前記基板と前記有機発光層との間に設けられる。前記第１補助配線部は、前記第１電極と電気的に接続され、前記第１方向と交差する第２方向に延びる。前記第２補助配線部は、前記基板と前記有機発光層との間に設けられる。前記第２補助配線部は、前記第１電極と電気的に接続され、前記第２方向に延び、前記第１方向及び前記第２方向と交差する第３方向において前記第１補助配線部と離間して並ぶ。前記第２電極は、前記第２方向に延びる導電部を含む。前記導電部は、第１端部と、第２端部と、中間部と、を含む。前記第１端部は、前記第１補助配線部の少なくとも一部と重なる。前記第２端部は、前記第３方向において前記第１端部と離間し、前記第２補助配線部の少なくとも一部と重なる。前記中間部は、前記第１端部と前記第２端部との間に設けられ、前記第１補助配線部及び前記第２補助配線部のそれぞれと重ならない。
【図面の簡単な説明】
【０００６】
【図１】図１（ａ）及び図１（ｂ）は、第１の実施形態に係る有機電界発光素子を例示する模式図である。
【図２】第１の実施形態に係る有機電界発光素子の一部を例示する模式的断面図である。
【図３】図３（ａ）及び図３（ｂ）は、第２の実施形態に係る有機電界発光素子を例示する模式図である。
【図４】参考例に係る有機電界発光素子を例示する模式的断面図である。
【図５】図５（ａ）及び図５（ｂ）は、第３の実施形態に係る有機電界発光素子を例示する模式図である。
【図６】別の参考例に係る有機電界発光素子を例示する模式的断面図である。
【図７】図７（ａ）及び図７（ｂ）は、第４の実施形態に係る有機電界発光素子を例示する模式図である。
【図８】図８（ａ）及び図８（ｂ）は、第５の実施形態に係る有機電界発光素子を例示する模式図である。
【図９】図９（ａ）及び図９（ｂ）は、有機電界発光素子の発光領域を例示する模式的平面図である。
【図１０】図１０（ａ）〜図１０（ｃ）は、第６の実施形態に係る有機電界発光素子を例示する模式的断面図である。
【図１１】図１１（ａ）及び図１１（ｂ）は、第７の実施形態に係る有機電界発光素子を例示する模式図である。
【図１２】第８の実施形態に係る照明装置を例示する模式的断面図である。
【図１３】図１３（ａ）及び図１３（ｂ）は、第９の実施形態に係る照明システムを例示する模式図である。
【発明を実施するための形態】
【０００７】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）
図１（ａ）及び図１（ｂ）は、第１の実施形態に係る有機電界発光素子を例示する模式図である。  
図１（ａ）は、第１の実施形態に係る有機電界発光素子を例示する模式的平面図である。  
図１（ｂ）は、第１の実施形態に係る有機電界発光素子を例示する模式的断面図である。  
図１（ｂ）は、図１（ａ）のＡ１−Ａ２線断面図である。  
【０００９】
実施形態に係る有機電界発光素子１１０は、第１電極１０と、第２電極２０と、有機発光層３０と、補助配線層４０と、基板５０と、第１パッド部６０と、第２パッド部７０と、を含む。
【００１０】
基板５０は、光透過性を有する。基板５０は、例えば、透明基板である。基板５０には、例えば、無アルカリガラスまたは石英ガラス等の無機材料が用いられる。基板５０には、ポリエチレン、ポリエチレンテレフタレート（ＰＥＴ）、ポリエチレンナフタレート（ＰＥＮ）、ポリイミド、ポリアミド、ポリアミドイミド、液晶ポリマーまたはシクロオレフィンポリマー等のプラスチックを用いても良い。基板５０には、高分子フィルムなどを用いても良い。基板５０は、例えば、ガラス基板である。発光を取り出すため、透明な材料を用いることが好ましい。基板５０の形状、構造及び大きさ等は、用途及び目的等に応じて適宜選択される。
【００１１】
第１電極１０は、上面１０ａを有する。第１電極１０は、光透過性を有する。第１電極１０は、例えば、透明電極である。この例では、第１電極１０は、基板５０の上に設けられる。第１電極１０は、第２パッド部７０と電気的に接続される。
【００１２】
ここで、上面１０ａに対して垂直な方向をＺ軸方向とする。上面１０ａに対して平行な１つの方向をＸ軸方向とする。Ｘ軸方向及びＺ軸方向に対して垂直な方向をＹ軸方向とする。Ｘ軸方向及びＹ軸方向は、上面１０ａに対して平行である。Ｘ軸方向及びＹ軸方向は、Ｚ軸方向に対して垂直な方向である。Ｚ軸方向は、第１電極１０の厚さ方向に相当する。
【００１３】
第２電極２０は、例えば、光反射性を有する。第２電極２０の光反射率は、第１電極１０の光反射率よりも高い。第２電極２０は、第１パッド部６０と電気的に接続される。第２電極２０は、第１方向において第１電極１０と離間する。基板５０と第２電極２０との間に第１電極１０が設けられる。第２電極２０は、導電部２１を含む。導電部２１は、第２方向に延びる。第２方向は、第１方向と交差する方向である。この例では、第２電極２０は、複数の導電部２１を含む。複数の導電部２１のそれぞれは、第２方向に延び、第３方向に離間して並ぶ。第３方向は、第１方向及び第２方向と交差する方向である。複数の導電部２１のそれぞれの間には、第１開口部２２が設けられる。この例では、複数の導電部２１のそれぞれが、Ｙ軸方向に延び、Ｘ軸方向に離間して並ぶ。すなわち、この例では、第１方向は、Ｚ軸方向である。第２方向は、Ｙ軸方向である。第３方向は、Ｘ軸方向である。
【００１４】
有機発光層３０は、例えば、光透過性を有する。有機発光層３０は、例えば、透明である。有機発光層３０は、第１電極１０と第２電極２０との間に設けられる。
【００１５】
補助配線層４０は、第１補助配線部４１と、第２補助配線部４２と、を含む。第１補助配線部４１及び第２補助配線部４２のそれぞれの光透過率は、第１電極１０の光透過率よりも低い。第１補助配線部４１及び第２補助配線部４２のそれぞれは、基板５０と有機発光層３０との間に設けられる。第１補助配線部４１は、第１電極１０及び第２パッド部７０と電気的に接続される。第１補助配線部４１は、Ｙ軸方向に延びる。第２補助配線部４２は、第１電極１０及び第２パッド部７０と電気的に接続される。第２補助配線部４２は、Ｙ軸方向に延び、Ｘ軸方向において第１補助配線部４１と離間して並ぶ。この例では、補助配線層４０は、複数の第１補助配線部４１と、複数の第２補助配線部４２と、を含む。第１補助配線部４１及び第２補助配線部４２のそれぞれは、複数の導電部２１のそれぞれに対して設けられる。
【００１６】
この例では、第１補助配線部４１及び第２補助配線部４２のそれぞれは、第１電極１０と、有機発光層３０との間に設けられる。第１補助配線部４１及び第２補助配線部４２のそれぞれは、第１電極１０の上面１０ａの上に設けられる。第１補助配線部４１及び第２補助配線部４２のそれぞれと、有機発光層３０との間に第１電極１０が設けられていてもよい（後述の図７(ｂ)参照）。この場合、第１補助配線部４１及び第２補助配線部４２のそれぞれは、基板５０の上に設けられる。第１補助配線部４１と第２補助配線部４２との間隔は、例えば、一定である。
【００１７】
補助配線層４０は、第１電極１０の上面１０ａの上に設けられる。補助配線層４０は、第１補助配線部４１と第２補助配線部４２との間に第２開口部４３が設けられる。この例では、補助配線層４０は、複数の第２開口部４３を含む。複数の第２開口部４３のそれぞれは、例えば、溝状である。複数の第２開口部４３に対応する領域において、第１電極１０は、第１補助配線部４１及び第２補助配線部４２と重ならない。この例では、複数の第２開口部４３のそれぞれにより、第１補助配線部４１及び第２補助配線部４２と重ならない複数の部分が、第１電極１０に設けられる。すなわち、第１電極１０のうちの、第１補助配線部４１と第２補助配線部４２と重ならない部分（非重畳部１０ｐ）が設けられる。
【００１８】
第２電極２０は、有機発光層３０の上に設けられる。第２電極２０は、複数の導電部２１と、複数の第１開口部２２と、を含んでいてもよい。この例では、複数の導電部２１のそれぞれが、Ｙ軸方向に延び、Ｘ軸方向に離間して並ぶ。複数の導電部２１のそれぞれは、上面１０ａに対して平行な平面（Ｘ−Ｙ平面）に投影したときに、複数の非重畳部１０ｐのうちのいずれかと重なる位置に配置される。
【００１９】
複数の第１開口部２２のそれぞれは、複数の導電部２１のそれぞれの間に配置される。複数の第１開口部２２のそれぞれは、例えば、Ｙ軸方向に延びる溝状である。複数の第１開口部２２のそれぞれは、Ｙ軸方向に延び、Ｘ軸方向に離間して並ぶ。第２電極２０は、例えば、Ｙ軸方向に延びるストライプ状である。
【００２０】
有機発光層３０は、複数の第２開口部４３のそれぞれを介して第１電極１０と電気的に接続される。有機発光層３０は、例えば、複数の第２開口部４３のそれぞれを介して第１電極１０の複数の非重畳部１０ｐのそれぞれに接する。これにより、有機発光層３０が、第１電極１０と電気的に接続される。
【００２１】
有機発光層３０は、第２電極２０と電気的に接続される。有機発光層３０は、例えば、複数の導電部２１のそれぞれに接する。これにより、有機発光層３０が、第２電極２０と電気的に接続される。なお、本願明細書において、電気的に接続されている状態は、直接接触する状態のほか、間に他の導電部材などが介在する状態も含む。
【００２２】
第１電極１０と第２電極２０とを用いて有機発光層３０に電流を流す。これにより、有機発光層３０が発光する。有機発光層３０は、例えば、電流が流れた場合に、電子と正孔とを再結合させ、励起子を生成する。有機発光層３０は、例えば、励起子が放射失活する際の光の放出を利用して発光する。
【００２３】
有機電界発光素子１１０では、有機発光層３０のうちの非重畳部１０ｐと導電部２１との間の部分が、発光領域ＥＡとなる。この例において、有機発光層３０は、複数の非重畳部１０ｐのそれぞれと複数の導電部２１のそれぞれとの間の複数の発光領域ＥＡを含む。
【００２４】
発光領域ＥＡから発せられた発光ＥＬは、第１電極１０を介して、有機電界発光素子１１０の外部に出射する。発光ＥＬの一部は、第２電極２０で反射し、有機発光層３０及び第１電極１０を介して外部に出射する。すなわち、有機電界発光素子１１０は、片面発光型である。
【００２５】
また、有機電界発光素子１１０では、外部から入射する外光ＯＬが、複数の導電部２１のそれぞれの間の部分の基板５０、第１電極１０及び有機発光層３０を透過する。このように、有機電界発光素子１１０は、発光ＥＬを出射させつつ、外部から有機電界発光素子１１０に入射する外光ＯＬを透過させる。このように、有機電界発光素子１１０は、光透過性を有する。これにより、有機電界発光素子１１０では、有機電界発光素子１１０を介して、背景の像を視認できる。すなわち、有機電界発光素子１１０は、シースルー可能な薄膜状または板状の光源である。
【００２６】
このように、実施形態の有機電界発光素子１１０によれば、光透過性の有機電界発光素子を提供できる。この有機電界発光素子１１０を照明装置に応用した場合、照明機能の他に、背景像を透過させる機能により、種々の新たな応用が可能になる。
【００２７】
図２は、第１の実施形態に係る有機電界発光素子の一部を例示する模式的断面図である。  
図２に表したように、有機発光層３０は、第１層３１を含む。有機発光層３０は、必要に応じて、第２層３２及び第３層３３の少なくともいずれかをさらに含むことができる。第１層３１は、可視光の波長を含む光を放出する。第２層３２は、第１層３１と第１電極１０との間に設けられる。第３層３３は、第１層３１と第２電極２０との間に設けられる。
【００２８】
第１層３１には、例えば、Ａｌｑ３（トリス(８−ヒドロキシキノリノラト)アルミニウム）、Ｆ８ＢＴ（ポリ(9,9-ジオクチルフルオレン-ｃｏ-ベンゾチアジアゾール）及びＰＰＶ（ポリパラフェニレンビニレン）などの材料を用いることができる。第１層３１には、ホスト材料と、ホスト材料に添加されるドーパントと、の混合材料を用いることができる。ホスト材料としては、例えばＣＢＰ（4,4'−N,N'-ビスジカルバゾリルール−ビフェニル）、ＢＣＰ（2,9−ジメチル-4,7 ジフェニル−1,10−フェナントロリン）、ＴＰＤ（4,4'−ビス−N−3メチルフェニル−N−フェニルアミノビフェニル）、ＰＶＫ（ポリビニルカルバゾール）及びＰＰＴ（ポリ（３−フェニルチオフェン））などを用いることができる。ドーパント材料としては、例えば、Ｆｌｒｐｉｃ（イリジウム(III)ビス(4,6-ジ-フルオロフェニル)-ピリジネート-N,C2'-ピコリネート）、Ｉｒ（ｐｐｙ）３（トリス (２−フェニルピリジン)イリジウム）及びＦｌｒ６（ビス（２，４−ジフルオロフェニルピリジナト）−テトラキス（１−ピラゾリル）ボラート−イリジウム（ＩＩＩ））などを用いることができる。
【００２９】
第２層３２は、例えば、正孔注入層として機能する。正孔注入層は、例えば、ＰＥＤＰＯＴ：ＰＰＳ（ポリ(3,4- エチレンジオキシチオフェン)-ポリ(スチレンスルホン酸)）、ＣｕＰｃ(銅フタロシアニン)、及び、ＭｏＯ３（三酸化モリブデン）などの少なくともいずれかを含む。第２層３２は、例えば、正孔輸送層として機能する。正孔輸送層は、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）、及び、ＴＣＴＡ（4，4'，4"−トリ（N− カルバゾリル）トリフェニルアミン）などの少なくともいずれかを含む。第２層３２は、例えば、正孔注入層として機能する層と、正孔輸送層として機能する層と、の積層構造を有しても良い。第２層３２は、正孔注入層として機能する層及び正孔輸送層として機能する層とは別の層を含んでも良い。
【００３０】
第３層３３は、例えば、電子注入層として機能する層を含むことができる。電子注入層は、例えば、フッ化リチウム、フッ化セシウム、及び、リチウムキノリン錯体などの少なくともいずれかを含む。第３層３３は、例えば、電子輸送層として機能する層を含むことができる。電子輸送層は、例えば、Ａｌｑ３（トリス（8キノリノラト）アルミニウム（III））、ＢＡｌｑ(ビス（２−メチル−８− キノリラト）(ｐ−フェニルフェノラート)アルミニウム)、Ｂｐｈｅｎ（バソフェナントロリン）、及び、３ＴＰＹＭＢ（トリス[３−(３−ピリジル)−メシチル]ボラン）などの少なくともいずれかを含む。第３層３３は、例えば、電子注入層として機能する層と、電子輸送層として機能する層と、の積層構造を有しても良い。第３層３３は、電子注入層として機能する層及び電子輸送層として機能する層とは別の層を含んでも良い。
【００３１】
例えば、有機発光層３０から放出される光は、実質的に白色光である。すなわち、有機電界発光素子１１０から出射する光は白色光である。ここで、「白色光」は、実質的に白色であり、例えば、赤色系、黄色系、緑色系、青色系及び紫色系などの白色の光も含む。
【００３２】
第１電極１０は、例えば、Ｉｎ、Ｓｎ、Ｚｎ及びＴｉよりなる群から選択された少なくともいずれかの元素を含む酸化物を含む。第１電極１０には、例えば、酸化インジウム、酸化亜鉛、酸化錫、インジウム錫酸化物（ＩＴＯ：Indium Tin Oxide）膜、フッ素ドープ酸化錫（ＦＴＯ）、インジウム亜鉛酸化物を含む導電性ガラスを用いて作製された膜（例えばＮＥＳＡなど）、金、白金、銀、及び、銅などを用いることができる。第１電極１０は、例えば、陽極として機能する。第１電極１０には、通常、透明または半透明の導電性を有する材料が用いられる。第１電極１０は、例えば、真空蒸着法、スパッタリング法、イオンプレーティング法、メッキ法、塗布法等を用いて形成される。
【００３３】
第２電極２０は、例えば、アルミニウム及び銀の少なくともいずれかを含む。例えば、第２電極２０には、アルミニウム膜が用いられる。さらに、第２電極２０として、銀とマグネシウムとの合金を用いても良い。この合金にカルシウムを添加しても良い。第２電極２０は、例えば、陰極として機能する。第２電極２０は、例えば、視認できない程度の細線状または格子状に設けられる。視認できない程度の細線状または格子状とは、例えば、１００マイクロメートル（μｍ）／１００μｍ程度、または、１００μｍ/５００μｍ程度の線幅及び間隔で設けられる。
【００３４】
なお、第１電極１０を陰極とし、第２電極２０を陽極とし、第２層３２を電子注入層または電子輸送層として機能させ、第３層３３を正孔注入層または正孔輸送層として機能させてもよい。
【００３５】
第１電極１０の厚さ（Ｚ軸方向の長さ）は、例えば、１０ナノメートル（ｎｍ）以上５００ｎｍ以下である。より好ましくは、５０ｎｍ以上２００ｎｍ以下である。有機発光層３０の厚さは、例えば、５０ｎｍ以上５００ｎｍ以下である。第２電極２０（導電部２１）の厚さは、例えば、１０ｎｍ以上３００ｎｍ以下である。
【００３６】
なお、第２電極２０のパターン形状は、例えば、櫛刃状でもよい。すなわち、第２電極２０は、Ｙ軸方向に延びＸ軸方向に離間して並ぶ複数の導電部２１と、各導電部２１をつなぐ部分と、を含んでもよい。
【００３７】
補助配線層４０の導電率は、第１電極１０の導電率よりも高い。補助配線層４０は、例えば、光反射性を有する。補助配線層４０の光反射率は、第１電極１０の光反射率よりも高い。補助配線層４０は、例えば、金属配線である。補助配線層４０は、例えば、第１電極１０に流れる電流を伝達する補助電極として機能する。これにより、有機電界発光素子１１０では、例えば、第１電極１０の上面１０ａと平行な方向に流れる電流量を均一にできる。例えば、面内の発光輝度をより均一にできる。
【００３８】
補助配線層４０は、例えば、Ｍｏ、Ｔａ、Ｎｂ、Ａｌ、Ｎｉ及びＴｉよりなる群から選択された、少なくともいずれかの元素を含む。補助配線層４０として、例えば、この群から選択された元素を含む混合膜を用いても良い。補助配線層４０として、それらの元素を含む積層膜を用いても良い。補助配線層４０には、例えば、Ｎｂ／Ｍｏ／Ａｌ／Ｍｏ／Ｎｂの積層膜を用いても良い。補助配線層４０は、例えば、第１電極１０の電位降下を抑制する補助電極として機能する。補助配線層４０は、電流供給のためのリード電極として機能しても良い。
【００３９】
補助配線層４０は、例えば、細線または格子状の複数の補助配線部を含む。複数の補助配線部は、視認できない程度の線幅に形成されることが好ましい。これにより、補助配線部の近傍の、補助配線部が存在しない領域に透過性を付与することが可能となる。これにより、補助配線部が存在しない領域の背景が透過し、人間の視覚上透明に見える。
【００４０】
実施形態においては、導電部２１は、第１端部２１ａと、第２端部２１ｂと、中間部２１ｃと、を含む。第１端部２１ａは、第１補助配線部４１の少なくとも一部と重なる。第２端部２１ｂは、Ｘ軸方向において第１端部２１ａと離間する。第２端部２１ｂは、第２補助配線部４２の少なくとも一部と重なる。中間部２１ｃは、第１端部２１ａと第２端部２１ｂとの間に設けられる。中間部２１ｃは、第１補助配線部４１及び第２補助配線部４２のそれぞれと重ならない。この例では、中間部２１ｃが発光領域ＥＡとなる。
【００４１】
図１（ｂ）に表すように、例えば、陰極側の第２電極２０の第１エッジ部分ｅｄ１から水や酸素(以下、水等という)が素子内部に侵入する。素子内部に侵入した水等により、有機発光層３０が劣化し、非発光領域が発生する。有機発光層３０の劣化は、特に、第２電極２０をストライプ状にした場合に、第１端部２１ａ及び第２端部２１ｂの近傍部分において顕著となる。有機発光層３０の劣化は、発光面において発光むら（不均一性）を発生させる。結果として、素子の寿命を低下させる場合がある。
【００４２】
実施形態によれば、第１端部２１ａと第１補助配線部４１の少なくとも一部とが重なり、第２端部２１ｂと第２補助配線部４２の少なくとも一部とが重なる。これにより、有機発光層３０のうち、第１端部２１ａ及び第２端部２１ｂの近傍部分において劣化を目立たなくすることができる。つまり、第１端部２１ａ及び第２端部２１ｂの近傍において劣化した部分が、第１補助配線部４１及び第２補助配線部４２により、視認され難くなる。これにより、発光面において発光むらの発生を見かけ上抑制できる。結果として、素子の寿命を延ばすことができる。
第１電極１０、有機発光層３０および第２電極２０が積層された複数の第１領域と、複数の第１領域の間に設けられた非発光の第２領域と、を有する有機電界発光素子において、第１補助配線部４１および第２補助配線部４２は、第１領域のうち第２領域と接する境界付近に設ければよい。
【００４３】
なお、第１端部２１ａと第１補助配線部４１とが重なる部分、及び、第２端部２１ｂと第２補助配線部４２とが重なる部分は、例えば、素子構造、補助配線の材料、プロセス等を選択することで、非発光にできる。また、発光にもできる。例えば、補助配線の材料として、Ａｌを用いた場合、Ｏ２プラズマまたはＵＶオゾンなどにより、Ａｌを酸化させる。これにより、非発光となる。補助配線の材料として、Ｍｏ／Ａｌ／Ｍｏを用いた場合、同様に酸化させる。これにより、酸化モリブデンが注入層となり、発光となる。素子寿命の観点からは、非発光及び発光のいずれでもよい。発光損失の観点からは、非発光としたほうがより好ましい。
【００４４】
このように、実施形態によれば、発光面積率と透過率とを出来る限り維持しつつ、素子寿命を延ばすことができる。実施形態によれば、長寿命な有機電界発光素子を提供することができる。
【００４５】
（第２の実施形態）
図３（ａ）及び図３（ｂ）は、第２の実施形態に係る有機電界発光素子を例示する模式図である。  
図３（ａ）は、第２の実施形態に係る有機電界発光素子を例示する模式的平面図である。  
図３（ｂ）は、第２の実施形態に係る有機電界発光素子を例示する模式的断面図である。  
図３（ｂ）は、図３（ａ）のＢ１−Ｂ２線断面図である。  
【００４６】
実施形態に係る有機電界発光素子１１１は、第１電極１０と、第２電極２０と、有機発光層３０と、基板５０と、第１パッド部６０と、第２パッド部７０と、有機絶縁層８０と、を含む。
【００４７】
有機絶縁層８０の材料としては、例えば、ポリイミド系やアクリル系の樹脂が用いられる。有機絶縁層８０を設けることで、例えば、第１電極１０と第２電極２０との短絡を防ぐことができる。また、第２電極２０を所定のパターンに形成するときに、パターニングのためのメタルマスクが有機発光層３０と接触することを防ぐことができる。
【００４８】
有機絶縁層８０は、第１有機絶縁部８１と、第２有機絶縁部８２と、第３開口部８３と、を含む。第１有機絶縁部８１は、第１電極１０と有機発光層３０との間に設けられる。第１有機絶縁部８１は、Ｙ軸方向に延びる。第２有機絶縁部８２は、第１電極１０と有機発光層３０との間に設けられる。第２有機絶縁部８２は、Ｙ軸方向に延び、Ｘ軸方向において第１有機絶縁部８１と離間して並ぶ。第２有機絶縁部８２は、例えば、有機発光層３０のＸ軸方向における一端と重なる。第３開口部８３は、第１有機絶縁部８１と第２有機絶縁部８２との間に設けられる。
【００４９】
有機絶縁層８０は、第１電極１０の上面１０ａの上に設けられる。この例では、有機絶縁層８０は、第１有機絶縁部８１と、複数の第２有機絶縁部８２と、複数の第３開口部８３と、を含む。第１有機絶縁部８１、及び、複数の第２有機絶縁部８２は、複数の有機絶縁部を構成する。複数の有機絶縁部のそれぞれは、上面１０ａに対して平行なＹ軸方向に延び、Ｘ軸方向に離間して並ぶ。
【００５０】
複数の第３開口部８３のそれぞれは、複数の有機絶縁部のそれぞれの間に位置する。この例では、複数の第３開口部８３のそれぞれが、Ｙ軸方向に延び、Ｘ軸方向に離間して並ぶ。複数の第３開口部８３のそれぞれは、例えば、溝状である。複数の第３開口部８３のそれぞれの領域において、第１電極１０の一部は第１有機絶縁部８１及び第２有機絶縁部８２と重ならない。この例では、複数の第３開口部８３のそれぞれにより、第１電極１０の複数の部分が第１有機絶縁部８１及び第２有機絶縁部８２と重ならない。すなわち、第１電極１０に、複数の非重畳部１０ｐが設けられる。
【００５１】
実施形態においては、導電部２１は、第１端部２１ａと、第２端部２１ｂと、中間部２１ｃと、を含む。第１端部２１ａは、第１有機絶縁部８１の少なくとも一部と重なる。第２端部２１ｂは、Ｘ軸方向において第１端部２１ａと離間する。第２端部２１ｂは、第２有機絶縁部８２の少なくとも一部と重なる。中間部２１ｃは、第１端部２１ａと第２端部２１ｂとの間に設けられる。中間部２１ｃは、第１有機絶縁部８１及び第２有機絶縁部８２のそれぞれと重ならない。この例では、中間部２１ｃが発光領域ＥＡとなる。第２有機絶縁部８２は、第１部分８２ａと、第２部分８２ｂと、分離部８２ｃと、を含む。第２部分８２ｂは、Ｘ軸方向において第１部分８２ａと離間する。分離部８２ｃは、第１部分８２ａと第２部分８２ｂとの間に設けられる。すなわち、第２有機絶縁部８２は、分離部８２ｃで２つの部分に分離されており、Ｘ軸方向に連続していない。例えば、分離部８２ｃには、有機発光層３０が充填され、有機発光層３０と第１電極１０とが接していてもよい。
【００５２】
ここで、第２有機絶縁部８２に分離部８２ｃを設けない参考例がある。
図４は、参考例に係る有機電界発光素子を例示する模式的断面図である。  
参考例に係る有機電界発光素子１９９は、第１の実施形態と同様に、陰極側の第２電極２０の第１エッジ部分ｅｄ１から水等が素子内部に侵入する。さらに、有機発光層３０と第２有機絶縁部８２との間の第２エッジ部分ｅｄ２から水等が素子内部に侵入する。第２エッジ部分ｅｄ２から侵入した水等は、有機発光層３０と第２有機絶縁部８２との間を伝って、発光領域ＥＡに到達する。素子内部に侵入した水等により、有機発光層３０が劣化し、非発光領域が発生する。有機発光層３０の劣化は、特に、第２電極２０をストライプ状にした場合に、第１端部２１ａ及び第２端部２１ｂの近傍部分に加え、さらに、発光領域ＥＡの周囲部分において顕著となる。有機発光層３０の劣化は、発光面において発光むらを発生させる。結果として、素子の寿命を低下させる場合がある。
【００５３】
実施形態によれば、図３（ａ）及び図３（ｂ）に表すように、第１端部２１ａと第１有機絶縁部８１の少なくとも一部とが重なり、第２端部２１ｂと第２有機絶縁部８２の少なくとも一部とが重なる。第１端部２１ａと第１有機絶縁部８１とが重なる部分は、発光しない。第２端部２１ｂと第２有機絶縁部８２とが重なる部分は、発光しない。これにより、有機発光層３０のうち、第１端部２１ａ及び第２端部２１ｂの近傍部分において劣化を目立たなくすることができる。
【００５４】
さらに、実施形態によれば、第２有機絶縁部８２に分離部８２ｃが設けられている。例えば、第１有機絶縁部８１および第２有機絶縁部８２が複数設けられている場合、有機電界発光素子１１１の外縁に設けられた第１有機絶縁部８１および第２有機絶縁部８２のうち、外縁に沿った第１有機絶縁部８１もしくは第２有機絶縁部８２、または、第１有機絶縁部８１および第２有機絶縁部８２が分離部８２ｃを有している。第２エッジ部分ｅｄ２から侵入した水等は、第２部分８２ｂを伝い、分離部８２ｃに到達する。分離部８２ｃには、第２有機絶縁部８２は存在しない。このため、侵入した水等は、分離部８２ｃで侵入経路が途切れ、第１部分８２ａ及び発光領域ＥＡには伝わり難くなる。また、例えば、分離部８２ｃには、有機発光層３０が充填されている。有機発光層３０は、第２有機絶縁部８２に比べて膜厚が薄いため、水分の拡散が遅れる。これにより、発光領域ＥＡの周囲部分における劣化を低減することができる。これにより、発光面において発光むらの発生を見かけ上抑制できる。結果として、素子の寿命を延ばすことができる。
【００５５】
このように、実施形態によれば、発光面積率と透過率とを出来る限り維持しつつ、素子寿命を延ばすことができる。実施形態によれば、長寿命な有機電界発光素子を提供することができる。
【００５６】
（第３の実施形態）
図５（ａ）及び図５（ｂ）は、第３の実施形態に係る有機電界発光素子を例示する模式図である。  
図５（ａ）は、第３の実施形態に係る有機電界発光素子を例示する模式的平面図である。  
図５（ｂ）は、第３の実施形態に係る有機電界発光素子を例示する模式的断面図である。  
図５（ｂ）は、図５（ａ）のＣ１−Ｃ２線断面図である。  
【００５７】
実施形態に係る有機電界発光素子１１２は、第１電極１０と、第２電極２０と、有機発光層３０と、補助配線層４０と、基板５０と、第１パッド部６０と、第２パッド部７０と、有機絶縁層８０と、を含む。
【００５８】
第１電極１０は、光透過性を有する。第１電極１０は、第２パッド部７０と電気的に接続される。第２電極２０は、Ｙ軸方向に延びる導電部２１を含む。導電部２１は、第１パッド部６０と電気的に接続される。第２電極２０の光反射率は、第１電極１０の光反射率よりも高い。
【００５９】
補助配線層４０は、第１補助配線部４１と、第２補助配線部４２と、を含む。第１補助配線部４１及び第２補助配線部４２のそれぞれの光透過率は、第１電極１０の光透過率よりも低い。第１補助配線部４１は、第１電極１０及び第２パッド部７０と電気的に接続される。第１補助配線部４１は、Ｙ軸方向に延びる。第２補助配線部４２は、第１電極１０及び第２パッド部７０と電気的に接続される。第２補助配線部４２は、Ｙ軸方向に延び、Ｘ軸方向において第１補助配線部４１と離間して並ぶ。この例では、第１補助配線部４１及び第２補助配線部４２のそれぞれは、第１電極１０と、有機発光層３０との間に設けられている。第１補助配線部４１及び第２補助配線部４２のそれぞれは、第１電極１０の上に設けられる。
【００６０】
この例では、第２電極２０は、複数の導電部２１を含む。複数の導電部２１のそれぞれは、Ｘ軸方向に離間して並ぶ。第１補助配線部４１及び第２補助配線部４２のそれぞれは、複数の導電部２１のそれぞれに対して設けられている。
【００６１】
有機絶縁層８０は、第１有機絶縁部８１と、第２有機絶縁部８２と、を含む。第１有機絶縁部８１は、第１補助配線部４１と有機発光層３０との間に設けられる。第１有機絶縁部８１は、Ｙ軸方向に延びる。第２有機絶縁部８２は、第２補助配線部４２と有機発光層３０との間に設けられる。第２有機絶縁部８２は、Ｙ軸方向に延び、Ｘ軸方向において第１有機絶縁部８１と離間して並ぶ。第２有機絶縁部８２は、例えば、有機発光層３０のＸ軸方向における一端と重なる。
【００６２】
実施形態においては、導電部２１は、第１端部２１ａと、第２端部２１ｂと、中間部２１ｃと、を含む。第１端部２１ａは、第１有機絶縁部８１の少なくとも一部と重なる。第２端部２１ｂは、Ｘ軸方向において第１端部２１ａと離間する。第２端部２１ｂは、第２有機絶縁部８２の少なくとも一部と重なる。中間部２１ｃは、第１端部２１ａと第２端部２１ｂとの間に設けられる。中間部２１ｃは、第１補助配線部４１及び第２補助配線部４２のそれぞれの少なくとも一部と重なり、第１有機絶縁部８１及び第２有機絶縁部８２のそれぞれと重ならない。
【００６３】
すなわち、第１補助配線部４１は、中間部２１ｃの中心に向けて第１有機絶縁部８１よりも突出して配置される。第２補助配線部４２は、中間部２１ｃの中心に向けて第２有機絶縁部８２よりも突出して配置される。補助配線層４０は、第１補助配線部４１と第２補助配線部４２との間に第２開口部４３が設けられる。有機絶縁層８０は、第１有機絶縁部８１と第２有機絶縁部８２との間に第３開口部８３が設けられる。第２開口部４３の幅は、第３開口部８３の幅よりも狭い。第２開口部４３の幅、すなわち、第１補助配線部４１と第２補助配線部４２との間の間隔が、発光領域ＥＡとなる。
【００６４】
ここで、第２補助配線部４２が第２有機絶縁部８２より突出しない別の参考例がある。
図６は、別の参考例に係る有機電界発光素子を例示する模式的断面図である。  
別の参考例に係る有機電界発光素子２９９は、第１の実施形態と同様に、陰極側の第２電極２０の第１エッジ部分ｅｄ１から水等が素子内部に侵入する。さらに、有機発光層３０と第２有機絶縁部８２との間の第２エッジ部分ｅｄ２から水等が素子内部に侵入する。第２エッジ部分ｅｄ２から侵入した水等は、有機発光層３０と第２有機絶縁部８２との間を伝って、発光領域ＥＡに到達する。素子内部に侵入した水等により、有機発光層３０が劣化し、非発光領域が発生する。有機発光層３０の劣化は、特に、第２電極２０をストライプ状にした場合に、第１端部２１ａ及び第２端部２１ｂの近傍部分に加え、さらに、発光領域ＥＡの周囲部分において顕著となる。有機発光層３０の劣化は、発光面において発光むらを発生させる。結果として、素子の寿命を低下させる場合がある。
【００６５】
実施形態によれば、図５（ａ）及び図５（ｂ）に表すように、第１端部２１ａと第１有機絶縁部８１の少なくとも一部とが重なり、第２端部２１ｂと第２有機絶縁部８２の少なくとも一部とが重なる。第１端部２１ａと第１有機絶縁部８１とが重なる部分は、発光しない。第２端部２１ｂと第２有機絶縁部８２とが重なる部分は、発光しない。これにより、有機発光層３０のうち、第１端部２１ａ及び第２端部２１ｂの近傍部分において劣化を目立たなくすることができる。
【００６６】
さらに、実施形態によれば、中間部２１ｃは、第１補助配線部４１及び第２補助配線部４２のそれぞれの少なくとも一部と重なり、第１有機絶縁部８１及び第２有機絶縁部８２のそれぞれと重ならない。第２エッジ部分ｅｄ２から侵入した水等は、第２有機絶縁部８２を伝い、第２補助配線部４２に到達する。第２補助配線部４２は、例えば、Ａｌ等の金属である。このため、侵入した水等は、第２補助配線部４２で止まり、発光領域ＥＡには伝わり難くなる。これにより、発光領域ＥＡの周囲部分における劣化を低減することができる。これにより、発光面において発光むらの発生を見かけ上抑制できる。結果として、素子の寿命を延ばすことができる。
【００６７】
なお、第１端部２１ａと第１補助配線部４１とが重なる部分、及び、第２端部２１ｂと第２補助配線部４２とが重なる部分は、例えば、素子構造、補助配線の材料、プロセス等を選択することで、非発光にできる。また、発光にもできる。例えば、補助配線の材料として、Ａｌを用いた場合、Ｏ２プラズマ、ＵＶオゾンなどにより、Ａｌを酸化させる。これにより、非発光となる。補助配線の材料として、Ｍｏ／Ａｌ／Ｍｏを用いた場合、同様に酸化させる。これにより、酸化モリブデンが注入層となり、発光となる。素子寿命の観点からは、非発光及び発光のいずれでもよい。発光損失の観点からは、非発光としたほうがより好ましい。
【００６８】
このように、実施形態によれば、発光面積率と透過率とを出来る限り維持しつつ、素子寿命を延ばすことができる。実施形態によれば、長寿命な有機電界発光素子を提供することができる。
【００６９】
（第４の実施形態）
図７（ａ）及び図７（ｂ）は、第４の実施形態に係る有機電界発光素子を例示する模式図である。  
図７（ａ）は、第４の実施形態に係る有機電界発光素子を例示する模式的平面図である。  
図７（ｂ）は、第４の実施形態に係る有機電界発光素子を例示する模式的断面図である。  
図７（ｂ）は、図７（ａ）のＤ１−Ｄ２線断面図である。  
【００７０】
実施形態に係る有機電界発光素子１１３は、第１電極１０と、第２電極２０と、有機発光層３０と、補助配線層４０と、基板５０と、第１パッド部６０と、第２パッド部７０と、有機絶縁層８０と、を含む。実施形態においては、補助配線層及び有機絶縁層を両方含む。
【００７１】
この例では、第１電極１０は、第１補助配線部４１及び第２補助配線部４２のそれぞれと、有機発光層３０との間に設けられている。第１補助配線部４１及び第２補助配線部４２のそれぞれは、基板５０の上に設けられる。第１補助配線部４１及び第２補助配線部４２のそれぞれの上には、第１電極１０が設けられる。
【００７２】
実施形態においては、導電部２１は、第１端部２１ａと、第２端部２１ｂと、中間部２１ｃと、を含む。第１端部２１ａは、第１有機絶縁部８１の少なくとも一部と重なる。第２端部２１ｂは、Ｘ軸方向において第１端部２１ａと離間する。第２端部２１ｂは、第２有機絶縁部８２の少なくとも一部と重なる。中間部２１ｃは、第１端部２１ａと第２端部２１ｂとの間に設けられる。中間部２１ｃは、第１補助配線部４１及び第２補助配線部４２のそれぞれの少なくとも一部と重なり、第１有機絶縁部８１及び第２有機絶縁部８２のそれぞれと重ならない。
【００７３】
すなわち、第１補助配線部４１は、中間部２１ｃの中心に向けて第１有機絶縁部８１よりも突出して配置される。第２補助配線部４２は、中間部２１ｃの中心に向けて第２有機絶縁部８２よりも突出して配置される。補助配線層４０は、第１補助配線部４１と第２補助配線部４２との間に第２開口部４３が設けられる。有機絶縁層８０は、第１有機絶縁部８１と第２有機絶縁部８２との間に第３開口部８３が設けられる。第２開口部４３の幅は、第３開口部８３の幅よりも狭い。この例では、第３開口部８３の幅、すなわち、第１有機絶縁部８１と第２有機絶縁部８２との間の間隔が、発光領域ＥＡとなる。
【００７４】
ここで、第１の実施形態と同様に、陰極側の第２電極２０の第１エッジ部分ｅｄ１から水等が素子内部に侵入する。さらに、有機発光層３０と第２有機絶縁部８２との間の第２エッジ部分ｅｄ２から水等が素子内部に侵入する。第２エッジ部分ｅｄ２から侵入した水等は、有機発光層３０と第２有機絶縁部８２との間を伝って、発光領域ＥＡに到達する。素子内部に侵入した水等により、有機発光層３０が劣化し、非発光領域が発生する。有機発光層３０の劣化は、特に、第２電極２０をストライプ状にした場合に、第１端部２１ａ及び第２端部２１ｂの近傍部分に加え、さらに、発光領域ＥＡの周囲部分において顕著となる。有機発光層３０の劣化は、発光面において発光むらを発生させる。結果として、素子の寿命を低下させる場合がある。
【００７５】
実施形態によれば、図７（ａ）及び図７（ｂ）に表すように、第１端部２１ａと第１有機絶縁部８１の少なくとも一部とが重なり、第２端部２１ｂと第２有機絶縁部８２の少なくとも一部とが重なる。第１端部２１ａと第１有機絶縁部８１とが重なる部分は、発光しない。第２端部２１ｂと第２有機絶縁部８２とが重なる部分は、発光しない。これにより、有機発光層３０のうち、第１端部２１ａ及び第２端部２１ｂの近傍部分において劣化を目立たなくすることができる。
【００７６】
さらに、実施形態によれば、中間部２１ｃは、第１補助配線部４１及び第２補助配線部４２のそれぞれの少なくとも一部と重なり、第１有機絶縁部８１及び第２有機絶縁部８２のそれぞれと重ならない。第２エッジ部分ｅｄ２から侵入した水等は、第２有機絶縁部８２を伝い、発光領域ＥＡの周囲部分に侵入する。しかし、発光領域ＥＡの周囲部分は、第１補助配線部４１及び第２補助配線部４２のそれぞれと重なる。このため、発光領域ＥＡの周囲部分の劣化を目立たなくすることができる。つまり、発光領域ＥＡの周囲部分において劣化した部分が、第１補助配線部４１及び第２補助配線部４２により、視認され難くなる。これにより、発光面において発光むらの発生を見かけ上抑制できる。結果として、素子の寿命を延ばすことができる。
【００７７】
このように、実施形態によれば、発光面積率と透過率とを出来る限り維持しつつ、素子寿命を延ばすことができる。実施形態によれば、長寿命な有機電界発光素子を提供することができる。
【００７８】
（第５の実施形態）
図８（ａ）及び図８（ｂ）は、第５の実施形態に係る有機電界発光素子を例示する模式図である。  
図８（ａ）は、第５の実施形態に係る有機電界発光素子を例示する模式的平面図である。  
図８（ｂ）は、第５の実施形態に係る有機電界発光素子を例示する模式的断面図である。  
図８（ｂ）は、図８（ａ）のＥ１−Ｅ２線断面図である。  
【００７９】
実施形態に係る有機電界発光素子１１４は、第１電極１０と、第２電極２０と、有機発光層３０と、補助配線層４０と、基板５０と、第１パッド部６０と、第２パッド部７０と、有機絶縁層８０と、を含む。実施形態においては、補助配線層及び有機絶縁層を両方含む。
【００８０】
実施形態においては、第１補助配線部４１は、有機発光層３０のＸ軸方向における中心の側（中心部分）に位置する。第２補助配線部４２は、有機発光層３０のＸ軸方向における端部の側に位置する。中間部２１ｃと第１補助配線部４１とが重ならない第１領域ｒ１の面積は、中間部２１ｃと第２補助配線部４２とが重ならない第２領域ｒ２の面積よりも大きい。すなわち、第１領域ｒ１及び第２領域ｒ２は、発光領域ＥＡの一部である。第１領域ｒ１に対応する部分には、第１補助配線部４１が存在しない。第２領域ｒ２に対応する部分には、第２補助配線部４２が存在しない。第１領域ｒ１及び第２領域ｒ２のそれぞれは、有機発光層３０のＹ軸方向における中心付近に設けられることが好ましい。
【００８１】
有機発光層３０の端部側は、有機発光層３０の中心部分と比べて劣化が早い。このため、中心部分の第１領域ｒ１の面積を、端部側の第２領域ｒ２の面積よりも大きくする。すなわち、有機発光層３０の各部分の劣化の状態に応じて、発光領域ＥＡのパターンを変化させる。劣化の比較的早い端部側は、第２領域ｒ２の面積を小さくする（発光面積を小さくする）。第２領域ｒ２は、中間部２１ｃと第２補助配線部４２とが重ならない発光領域である。一方、劣化の比較的遅い中心部分は、第１領域ｒ１の面積を大きくする（発光面積を大きくする）。第１領域ｒ１は、中間部２１ｃと第１補助配線部４１とが重ならない発光領域である。
【００８２】
中間部２１ｃと第１補助配線部４１とが重なる部分と、中間部２１ｃと第２補助配線部４２とが重なる部分と、により、発光領域ＥＡが減少する場合がある。これに対して、実施形態によれば、有機発光層３０の各部分の劣化の状態に応じて、発光領域ＥＡのパターンを変化させる。これにより、発光領域ＥＡを増加させ、発光ロスを低減することができる。
【００８３】
図９（ａ）及び図９（ｂ）は、有機電界発光素子の発光領域を例示する模式的平面図である。  
図９（ａ）は、全面発光型の有機電界発光素子の発光領域を例示する模式的平面図である。
図９（ｂ）は、ストライプ発光型の有機電界発光素子の発光領域を例示する模式的平面図である。
【００８４】
図９（ａ）に表すように、全面発光型の有機電界発光素子は、発光部２０１と、外周部２０２と、を含む。発光部２０１は、全面が発光する。発光部２０１には、光透過性が付与されない。例えば、外周部２０２が１００μｍ程度劣化してもあまり問題にはならない。
【００８５】
図９（ｂ）に表すように、ストライプ発光型の有機電界発光素子は、発光部２０３と、外周部２０４と、を含む。発光部２０３は、ストライプ状に発光する。発光部２０３には、光透過性が付与される。発光部２０３がストライプ状であるため、発光面積に対して外周部２０４の比率が大きくなる。このため、外周部２０４において水等の侵入による劣化が顕著となる。
【００８６】
上述の各実施形態によれば、水等の侵入による外周部２０４の劣化を目立たなくすることができる。
【００８７】
（第６の実施形態）
図１０（ａ）〜図１０（ｃ）は、第６の実施形態に係る有機電界発光素子を例示する模式的断面図である。  
図１０（ａ）に表すように、有機電界発光素子１１５は、基板５０の上に、第１電極１０及び有機発光層３０をそれぞれパターニングしたものである。すなわち、第１電極１０及び有機発光層３０はそれぞれ連続しておらず、所望のパターニングが施されている。
【００８８】
図１０（ｂ）に表すように、有機電界発光素子１１６は、基板５０の上に、第１電極１０及び有機発光層３０をそれぞれパターニングしたものである。すなわち、第１電極１０及び有機発光層３０はそれぞれ連続しておらず、所望のパターニングが施されている。図１０（ａ）の例とは、素子の端部構造が異なる。すなわち、第１端部２１ａは、第１有機絶縁部８１の端に延在する。第２端部２１ｂは、第２有機絶縁部８２の端に延在する。これにより、第２電極２０がパッシベーション代わりとなり、より好ましい。
【００８９】
図１０（ｃ）に表すように、有機電界発光素子１１７は、基板５０の上に、第１電極１０及び有機発光層３０をそれぞれパターニングしたものである。すなわち、第１電極１０及び有機発光層３０はそれぞれ連続しておらず、所望のパターニングが施されている。図１０（ａ）の例とは、補助配線部の配置が異なる。すなわち、図１０（ａ）の例では、第１電極１０の下に第１補助配線部４１及び第２補助配線部４２のそれぞれが設けられている。図１０（ｃ）の例では、第１電極１０の上に第１補助配線部４１及び第２補助配線部４２のそれぞれが設けられている。
【００９０】
（第７の実施形態）
図１１（ａ）及び図１１（ｂ）は、第７の実施形態に係る有機電界発光素子を例示する模式図である。  
図１１（ａ）は、第７の実施形態に係る有機電界発光素子を例示する模式的透過平面図である。
図１１（ｂ）は、第７の実施形態に係る有機電界発光素子を例示する模式的断面図である。  
図１１（ｂ）は、図１１（ａ）のＦ１−Ｆ２線断面図である。
なお、図を見やすくするために、図１１（ａ）の透視平面図においては、構成要素の一部の図示を省略する。
【００９１】
実施形態に係る有機電界発光素子１１８は、第１電極１０と、第２電極２０と、有機発光層３０と、補助配線層４０と、基板５０と、第１パッド部６０と、第２パッド部７０と、有機絶縁層８０と、を含む。実施形態においては、補助配線層及び有機絶縁層を両方含む。
【００９２】
この例では、第１電極１０は、第１補助配線部４１及び第２補助配線部４２のそれぞれと、有機発光層３０との間に設けられている。第１補助配線部４１及び第２補助配線部４２のそれぞれは、基板５０の上に設けられる。第１補助配線部４１及び第２補助配線部４２のそれぞれの上には、第１電極１０が設けられる。
【００９３】
実施形態においては、有機電界発光素子１１８は、複数の交差補助配線部４４をさらに含む。複数の交差補助配線部４４は、第１補助配線部４１及び第２補助配線部４２のそれぞれと交差する。第２電極２０は、複数の交差導電部２３をさらに含む。複数の交差導電部２３は、導電部２１と交差する。この例では、補助配線層４０は、複数の第１補助配線部４１（及び複数の第２補助配線部４２）のそれぞれと、複数の交差補助配線部４４のそれぞれとが互いに直交して（格子状に）設けられている。第２電極２０は、複数の導電部２１のそれぞれと、複数の交差導電部２３のそれぞれとが互いに直交して（格子状に）設けられている。この場合も、上述の各実施形態と同様に、発光面積率と透過率とを出来る限り維持しつつ、素子寿命を延ばすことができる。
【００９４】
（第８の実施形態）
図１２は、第８の実施形態に係る照明装置を例示する模式的断面図である。  
実施形態に係る照明装置２１０は、例えば、有機電界発光素子１３０と、電源部２０５と、を含む。有機電界発光素子１３０は、第１基板５１と、第２基板５２と、シール部５３と、をさらに含む。
【００９５】
図１２に表すように、第１電極１０は、第１基板５１の上に設けられる。第１基板５１は、光透過性を有する。第２基板５２は、第１基板５１と対向する。第２基板５２は、光透過性を有する。この例において、積層体の構成は、有機電界発光素子１１２に関して説明した構成と同じである。積層体の構成は、他の有機電界発光素子に関して説明した構成でもよい。
【００９６】
シール部５３は、例えば、第１基板５１及び第２基板５２の外縁に沿って環状に設けられ、第１基板５１と第２基板５２とを接着する。これにより、第１基板５１と第２基板５２とによって、積層体が封止される。有機電界発光素子１３０では、第１基板５１と第２基板５２との間のＺ軸方向の距離をシール部５３によって規定している。この構成は、例えば、シール部５３に粒状のスペーサ（図示せず）を含めることによって実現できる。例えば、シール部５３に粒状の複数のスペーサを分散させ、複数のスペーサの径によって、第１基板５１と第２基板５２との間の距離が規定される。
【００９７】
有機電界発光素子１３０において、シール部５３の厚さ（Ｚ軸方向に沿う長さ）は、例えば、１μｍ以上１００μｍ以下である。より好ましくは、例えば、５μｍ以上２０μｍ以下である。これにより、例えば、水分の浸入などを抑えることができる。シール部５３の厚さは、例えば、シール部５３に分散させるスペーサの径と実質的に同じである。
【００９８】
有機電界発光素子において、第２基板５２に積層体を収容する凹部を設ける構成がある。この構成では、第２基板５２の形成が難しくなる。例えば、有機電界発光素子のコストアップを招く。
【００９９】
これに対して、本実施形態に係る有機電界発光素子１３０では、第１基板５１と第２基板５２との間の距離をシール部５３で規定している。これにより、例えば、平板状の第２基板５２を用いることができる。例えば、第２基板５２の形成を容易にできる。有機電界発光素子１３０のコストアップを抑えることができる。
【０１００】
積層体と第２基板５２との間の空間には、例えば、不活性ガスなどが充填される。積層体と第２基板５２との間に、乾燥剤などを設けてもよい。積層体と第２基板５２との間の空間は、例えば、空気層でもよい。積層体と第２基板５２との間の空間には、例えば、液状のアクリル系樹脂やエポキシ系樹脂などを充填してもよい。アクリル系樹脂やエポキシ系樹脂には乾燥材として酸化カルシウムや酸化バリウムを添加させてもよい。
【０１０１】
第１基板５１及び第２基板５２には、例えば、ガラス基板、または、樹脂基板などが用いられる。シール部５３には、例えば、紫外線硬化樹脂などが用いられる。
【０１０２】
電源部２０５は、第１電極１０と第２電極２０とに電気的に接続される。電源部２０５は、第１電極１０及び第２電極２０を介して有機発光層３０に電流を供給する。  
実施形態によれば、長寿命な照明装置を提供することができる。
【０１０３】
（第９の実施形態）
図１３（ａ）及び図１３（ｂ）は、第９の実施形態に係る照明システムを例示する模式図である。  
図１３（ａ）に表すように、実施形態に係る照明システム３１１は、例えば、有機電界発光素子１３０と、制御部３０１と、を含む。
【０１０４】
制御部３０１は、複数の有機電界発光素子１３０のそれぞれと電気的に接続され、複数の有機電界発光素子１３０のそれぞれの点灯・消灯を制御する。制御部３０１は、例えば、複数の有機電界発光素子１３０のそれぞれの第１電極及び第２電極と電気的に接続される。これにより、制御部３０１は、複数の有機電界発光素子１３０のそれぞれの点灯・消灯を個別に制御する。
【０１０５】
図１３（ｂ）に表すように、照明システム３１２では、複数の有機電界発光素子１３０のそれぞれが、直列に接続されている。制御部３０１は、複数の有機電界発光素子１３０のうちの１つの有機電界発光素子１３０の第１電極と電気的に接続される。そして、制御部３０１は、複数の有機電界発光素子１３０のうちの別の１つの有機電界発光素子１３０の第２電極と電気的に接続される。これにより、制御部３０１は、複数の有機電界発光素子１３０のそれぞれの点灯・消灯をまとめて制御する。このように、制御部３０１は、複数の有機電界発光素子１３０のそれぞれの点灯・消灯を個別に制御してもよいし、まとめて制御してもよい。
実施形態によれば、長寿命な照明システムを提供することができる。
【０１０６】
実施形態によれば、長寿命な有機電界発光素子、照明装置及び照明システムが提供できる。
【０１０７】
なお、本願明細書において、「垂直」及び「平行」は、厳密な垂直及び厳密な平行だけではなく、例えば製造工程におけるばらつきなどを含むものであり、実質的に垂直及び実質的に平行であれは良い。
【０１０８】
以上、具体例を参照しつつ、本発明の実施の形態について説明した。しかし、本発明は、これらの具体例に限定されるものではない。例えば、有機電界発光素子に含まれる、基板、第１電極、第２電極、有機発光層、第１補助配線部、第２補助配線部、並びに、照明装置に含まれる電源部、照明システムに含まれる制御部などの各要素の具体的な構成に関しては、当業者が公知の範囲から適宜選択することにより本発明を同様に実施し、同様の効果を得ることができる限り、本発明の範囲に包含される。
【０１０９】
また、各具体例のいずれか２つ以上の要素を技術的に可能な範囲で組み合わせたものも、本発明の要旨を包含する限り本発明の範囲に含まれる。
【０１１０】
その他、本発明の実施の形態として上述した有機電界発光素子、照明装置、及び照明システムを基にして、当業者が適宜設計変更して実施し得る全ての有機電界発光素子、照明装置及び照明システムも、本発明の要旨を包含する限り、本発明の範囲に属する。
【０１１１】
その他、本発明の思想の範疇において、当業者であれば、各種の変更例及び修正例に想到し得るものであり、それら変更例及び修正例についても本発明の範囲に属するものと了解される。
【０１１２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１３】
１０…第１電極、  １０ａ…上面、  １０ｐ…非重畳部、  ２０…第２電極、  ２１…導電部、  ２１ａ…第１端部、  ２１ｂ…第２端部、  ２１ｃ…中間部、  ２２…第１開口部、  ２３…交差導電部、  ３０…有機発光層、  ３１…第１層、  ３２…第２層、  ３３…第３層、  ４０…補助配線層、  ４１…第１補助配線部、  ４２…第２補助配線部、  ４３…第２開口部、  ４４…交差補助配線部、  ５０…基板、  ５１…第１基板、  ５２…第２基板、  ５３…シール部、  ６０…第１パッド部、  ７０…第２パッド部、  ８０…有機絶縁層、  ８１…第１有機絶縁部、  ８２…第２有機絶縁部、  ８２ａ…第１部分、  ８２ｂ…第２部分、  ８２ｃ…分離部、  ８３…第３開口部、  １１０〜１１８、１３０、１９９、２９９…有機電界発光素子、  ２０１、２０３…発光部、  ２０２、２０４…外周部、  ２０５…電源部、  ２１０…照明装置、  ３０１…制御部、  ３１１、３１２…照明システム
【図１】
2016062858.tif 000003
【図２】
2016062858.tif 000004
【図３】
2016062858.tif 000005
【図４】
2016062858.tif 000006
【図５】
2016062858.tif 000007
【図６】
2016062858.tif 000008
【図７】
2016062858.tif 000009
【図８】
2016062858.tif 000010
【図９】
2016062858.tif 000011
【図１０】
2016062858.tif 000012
【図１１】
2016062858.tif 000013
【図１２】
2016062858.tif 000014
【図１３】
2016062858.tif 000015